(57)【要約】【課題】本発明は印刷用紙に印刷するための方法と装置に関するものである。【解決手段】印刷用紙（１１）は少なくとも一つの印刷機（１０）の中を移動して静的または不可変の印刷画像が印刷される。本発明によると、印刷用紙（１１）は少なくとも一つの印刷システム（１２、１３）の中を移動するが、これは印刷機（１０）にインラインで接続されており、少なくとも一つの動的または可変の印刷画像により、前記静的パターンが個別化される。【選択図】図１
2010269599.tif 000002
【特許請求の範囲】
【請求項１】
印刷用紙の印刷方法であって、
静的または不変の印刷画像を印刷するため印刷用紙（１１）が少なくとも一つの印刷装置（１０）に動かされ、
次ぎに、少なくとも一つの動的または可変の印刷画像を前記印刷用紙（１１）に印刷しこれにより前記静的または不変の印刷画像を個別化するために、前記印刷用紙（１１）が、該印刷装置（１０）にインラインで接続された少なくとも一つの印刷システム（１２、１３）により動かされており、
前記静的または不変の印刷画像を印刷する印刷装置および前記動的または可変の印刷画像を印刷する印刷システムが、共通の制御装置またはコントロール装置により、制御またはコントロールされていることを特徴とする方法。
【請求項２】
請求項１に記載の方法であって、
該印刷装置または各印刷装置（１０）において、静的または不変の印刷画像を印刷するために少なくともカラーという機能が印刷されることを特徴とする方法。
【請求項３】
請求項１または２に記載の方法であって、
該印刷システムまたは各印刷システム（１２、１３）において、動的または可変の印刷画像を印刷するために、少なくとも一つの、カラーという機能以外の機能が印刷されることを特徴とする方法。
【請求項４】
請求項３に記載の方法であって、
カラーという機能以外の機能として個別のテキストデータおよび／あるいは画像データが印刷されることを特徴とする方法。
【請求項５】
請求項４に記載の方法であって、
カラーという機能以外の機能として、個別のテキストデータおよび／あるいは画像データのほかに、個別のロジスティックデータも印刷されることを特徴とする方法。
【請求項６】
請求項３から５のいずれか１項に記載の方法であって、
カラーという機能以外の機能として香料が印刷されることを特徴とする方法。
【請求項７】
請求項３から６のいずれか１項に記載の方法であって、
カラーという機能以外の機能としてコーティング材が印刷されることを特徴とする方法。
【請求項８】
請求項３から７のいずれか１項に記載の方法であって、
カラーという機能以外の機能として導電体が印刷されることを特徴とする方法。
【請求項９】
請求項３から８のいずれか１項に記載の方法であって、
カラーという機能以外の機能として集積回路が印刷されることを特徴とする方法。
【請求項１０】
請求項１から９のいずれか１項に記載の方法であって、
静的または不変の印刷画像を印刷する印刷装置（１０）として、オフセット印刷装置またはグラビア印刷装置またはフレキソ印刷装置が使用されることを特徴とする方法。
【請求項１１】
請求項１から１０のいずれか１項に記載の方法であって、
動的または可変の印刷画像を印刷するための印刷システム（１２、１３）として、ドロップ・オン・デマンドまたはインクジェット印刷システムが使用されることを特徴とする方法。
【請求項１２】
請求項１から１１のいずれか１項に記載の方法であって、
静的または不変の印刷画像を印刷するための該印刷装置または各印刷装置（１０）、およびこの印刷装置にインラインで配置された、動的または可変の印刷画像を印刷するための該印刷システムまたは各印刷システム（１２、１３）が、統合された一つのデータフローを保証するために、一つの制御装置またはコントロール装置（１５）により制御またはコントロールされることを特徴とする方法。
【請求項１３】
請求項１から１２のいずれか１項に記載の方法であって、
静的または不変の印刷画像の印刷部数のほうが、この静的または不変の印刷画像内にインラインで印刷された、動的または可変の該印刷画像または各印刷画像の部数より多いことを特徴とする方法。
【請求項１４】
印刷用紙の印刷のための装置であって、
静的または不変の印刷画像を印刷するための少なくとも一つの印刷装置（１０）と、
該印刷装置（１０）にインラインで接続され、少なくとも一つの動的または可変の印刷画像を前記静的または不変の印刷画像に印刷しこれにより該静的または不変の印刷画像を個別化するための、少なくとも一つの印刷システム（１２、１３）と、
前記静的または不変の印刷画像を印刷する印刷装置および前記動的または可変の印刷画像を印刷する印刷システムを、制御またはコントロールする、前記印刷装置および前記印刷システムに共通の、制御装置またはコントロール装置と、
を備えたことを特徴とする装置。
【請求項１５】
請求項１４に記載の装置であって、
静的または不変の印刷画像を印刷するための該印刷装置または各印刷装置（１０）が、オフセット印刷装置またはグラビア印刷装置またはフレキソ印刷装置として構成されることを特徴とする装置。
【請求項１６】
請求項１４または１５に記載の装置であって、
動的または可変の印刷画像を印刷するための該印刷システムまたは各印刷システム（１２、１３）が、ドロップ・オン・デマンドまたはインクジェット印刷システムとして構成されることを特徴とする装置。
【請求項１７】
請求項１４または１５に記載の装置であって、
動的または可変の印刷画像を印刷するための該印刷システムまたは各印刷システム（１２、１３）が、電子写真、磁気写真、電気凝固またはイオノグラフィーの原理に基づくことを特徴とする装置。
【請求項１８】
請求項１４から１７のいずれか１項に記載の装置であって、
統合された一つのデータフローを保証するために、静的または不変の印刷画像を印刷するための該印刷装置または各印刷装置（１０）および、動的または可変の印刷画像を印刷するための該印刷システムまたは各印刷システム（１２、１３）を制御またはコントロールする制御装置またはコントロール装置（１５）を特徴とする装置。
【発明の詳細な説明】
【技術分野】
【０００１】
本発明は、請求項１の前段に記された、印刷用紙に印刷するための方法、および請求項１４の前段に記された、印刷用紙に印刷するための装置に関するものである。
【０００２】
本特許出願は、独国特許出願ＤＥ１０２００４００２１３２．５号明細書の優先権を主張しており、該出願の公開内容についてここで参照している。
【背景技術】
【０００３】
従来の技術では、印刷用紙に印刷するには、印刷用紙が、印刷機の少なくとも一つの印刷装置により動かされ、このとき、その印刷装置または各印刷装置においてそれぞれの印刷インキが印刷用紙に着けられる。このとき、印刷機の印刷装置内において静的または不変の印刷画像が印刷用紙に、希望の部数だけ印刷される。例として宣伝用パンフレットを挙げる。このような印刷成果物の全体の部数を静的印刷画像の印刷で製作し、それを、たとえば個人の住所データなどで個別化する場合、従来技術では、印刷機内で静的印刷画像を印刷した印刷用紙を、オフラインの別の印刷システムにおいて個別化している。そのために、静的印刷画像製作とはオフラインで、少なくとも一つの動的または可変の印刷画像すなわち個人の住所データが、静的印刷画像内に印刷される。そのため、動的または可変の印刷画像により個別化された静的印刷画像を製作することはコストがかさみ高価となる。
【発明の概要】
【発明が解決しようとする課題】
【０００４】
これに鑑み、本発明の課題は、印刷用紙に印刷するための新しい方法を提供することである。
【課題を解決するための手段】
【０００５】
この課題は、請求項１に記載の印刷用紙の印刷方法により解決できる。本発明においては、静的または不変の印刷画像を、少なくとも一つの動的または可変の印刷画像により個別化するために、印刷用紙が、該印刷装置または各印刷装置にインラインで接続された、望ましくはインラインで後置された少なくとも一つの印刷システムにより動かされる。
【０００６】
本発明においては、静的または不変の印刷画像が印刷用紙上に製作された後に、これを個別化するために、印刷用紙を、インラインで、静的印刷画像の製作に寄与する該印刷装置または各印刷装置に後置または前置された、少なくとも一つの印刷システムにより動かすことが提案されている。本発明においては、該動的印刷画像または各動的印刷画像を静的印刷画像内に印刷してこれを個別化することがインラインで行われるため、一つのワークフロー内で行われる。それにより、このような印刷成果物を、より早く、より簡単に、より低コストで製作することができる。
【０００７】
本発明の一つの有用な発展形によると、静的または不変の印刷画像を印刷するための該印刷装置または各印刷装置においては少なくともカラーという機能が印刷され、そして、動的または可変の印刷画像を印刷するための該印刷システムまたは各印刷システムにおいては、カラーという機能以外の、少なくとも一つの機能が印刷される。
【０００８】
カラーという機能以外の機能とは、望ましくは個別のテキストデータおよび／あるいは香料および／あるいはコーティング材および／あるいは導電体および／あるいは集積回路である。
【０００９】
本発明の方法の特に望ましい実施形態では、印刷画像情報が、異なる３つのデータストリームからインラインで、一つのワークフロー内で印刷される。第１のデータストリームは静的または不変の印刷画像であり、第２のデータストリームは個別化および／あるいは部分個別化に寄与する動的または可変のテキストデータおよび／あるいは画像データであり、第３のデータストリームは動的または可変のロジスティックデータである。
【００１０】
本発明の方法を実施するための本発明の装置には、静的または不変の印刷画像を印刷するための少なくとも一つの印刷装置、および、該印刷装置または各印刷装置にインラインで接続され、望ましくはインラインで後置された、少なくとも一つの動的または可変の印刷画像により静的印刷画像を個別化するための少なくとも一つの印刷システムが備わっている。本発明のこの装置には望ましくは制御装置またはコントロール装置が備わっており、これが、データフローが確実に一つに統合されるように、静的または不変の印刷画像を印刷するための該印刷装置または各印刷装置、および、動的または可変の印刷画像を印刷するための該印刷システムまたは各印刷システムを制御またはコントロールする。
【００１１】
本発明の望ましい発展形は、従属請求項および以下の説明から見て取れる。
【００１２】
本発明の一つの実施例について、図を基に詳しく説明するが、これに限定されるわけではない。
【図面の簡単な説明】
【００１３】
【図１】印刷用紙に印刷するための本発明の方法を実施するための本発明の装置を図示したものである。
【発明を実施するための形態】
【００１４】
以下に、図１を参照しながら本発明をさらに詳しく説明する。
【００１５】
図１は、印刷用紙の印刷のための本発明の装置１０の装置図を図式化したものであり、図１の実施例においては、該装置には、静的または不変の印刷画像を印刷用紙１１に印刷するための印刷装置１０が備わっている。図１にはこのような印刷装置１０が一つのみ示されているが、このような印刷装置１０を連続して複数配置することも、もちろん可能である。静的または不変の印刷画像を印刷するためのこの印刷装置のそれぞれにおいて、静的または不変の印刷画像を印刷用紙１１に製作するための一つのプロセスカラーが印刷される。オートタイプのコンビネーション・プリンティングの場合、このことは、通常、静的または不変の印刷画像を製作または印刷するための４つの印刷装置が連続して配置されていることを意味しており、これら４つの印刷装置においてそれぞれ、墨、シアン、マゼンタ、イエローの４つのプロセスカラーのいずれか１色が印刷される。
【００１６】
図１の本発明の装置には、静的または不変の印刷画像を印刷するための印刷装置１０のほかに、この印刷装置１０にインラインで後置された２つの印刷システム１２および１３が備わっており、これら２つの印刷システムは、印刷装置１０で印刷された静的または不変の印刷画像を、動的または可変の印刷画像により個別化する役割がある。したがって図１から、印刷用紙１１が、この印刷用紙印刷のために、まず印刷装置１０により、次に印刷システム１２および１３により矢印１４の方向に動かされることが分かる。
【００１７】
印刷用紙が印刷装置１０から出ると、この印刷用紙には静的または不変の印刷画像が印刷されている。次に印刷システム１２および１３においてインラインでこの静的印刷画像を動的または可変の印刷画像により個別化するが、図１から分かるように、印刷システム１２および１３では、静的印刷画像のそれぞれ異なるセクションまたは範囲を、動的または可変の印刷画像により個別化する。図１には、動的印刷画像により静的印刷画像を個別化するための２つの印刷システム１２および１３が示されているが、このような印刷システムを１つだけ、または２つ以上の印刷システムを、静的印刷画像を製作するための該印刷装置または各印刷装置にインラインで配置できるのはもちろんのことである。
【００１８】
静的または不変の印刷画像を印刷するための該印刷装置または各印刷装置１０は、望ましくはオフセット印刷装置またはグラビア印刷装置またはフレキソ印刷装置として構成されている。図１に示された印刷装置１０は、デジタル・オフセット印刷装置であり、出願人がＤＩＣＯｗｅｂという製品名で販売している。動的または可変の印刷画像を印刷するための印刷システム１２および１３は望ましくはドロップ・オン・デマンド印刷システムまたはインクジェット印刷システムである。このようなドロップ・オン・デマンド印刷システムの代わりに、電子写真、磁気写真、電気凝固またはイオノグラフィーの原理に基づく動的印刷システムを使用することもできる。
【００１９】
すでに述べたように、図１の実施例においては、印刷装置１０で静的または不変の印刷画像が印刷用紙１１に着けられ、静的または不変の印刷画像を印刷するためにカラーという機能が印刷される。印刷装置１０にインラインで後置された２つの印刷システム１２および１３においては、この静的印刷画像が、カラーという機能以外の機能を持つ、一つまたは複数の動的または可変の印刷画像により個別化が行われる。したがって、印刷システム１２および１３において、たとえば個別のテキストデータおよび／あるいは個別の画像データおよび／あるいは個別のロジスティックデータおよび／あるいは香料および／あるいはコーティング材および／あるいは導電体および／あるいは集積回路という機能を印刷することが可能である。
【００２０】
その具体的な実施例として、印刷用紙１１に自動車メーカーの宣伝チラシを印刷するとする。この宣伝チラシを製作するために、本発明の装置および本発明の方法を利用するには、印刷装置１０においてまず印刷用紙１１に、静的または不変の印刷画像を、宣伝チラシの希望の総部数Ｎだけ印刷する。印刷装置１０においてこの静的または不変の印刷画像が製作された後、印刷システム１２において、宣伝チラシの総部数Ｎのうちの一部の部数ｎを個別のまたは動的印刷画像で個別化することにより、静的または不変の印刷画像の部分個別化が行われる。これはたとえば、その自動車メーカーの車のある具体的なモデルの場合が考えられる。印刷システム１２において静的または不変の印刷画像の部分個別化が行われた後、次に印刷装置１３において、インラインで個人の住所データが印刷されることにより、この静的または不変の印刷画像の最終的な個別化が行われる。
【００２１】
特に望ましい実施形態では、たとえばロジスティックコードおよび／あるいは切手といった動的または可変のロジスティックデータがさらに追加的に印刷される。この場合、印刷画像情報は、異なる３つのデータストリームがインラインで一つのワークフロー内で印刷される、つまり、静的または不変の印刷画像、個別化および／あるいは部分個別化に寄与する動的または可変のテキストデータおよび／あるいは画像データ、動的または可変のロジスティック・データが印刷される。
【００２２】
このとき、印刷システム１２および１３で印刷された、動的または可変の印刷画像については、印刷システム１２において部分個別化のために印刷された印刷画像と、印刷システム１３において印刷された個別の住所データとが対応するように、互いに組み合わされていることが望ましい。これにより、低コストおよび短時間でパンフレットまたは宣伝資料を製作することが可能になる。
【００２３】
すでに述べたように、印刷装置１０においては、製作する宣伝チラシの総部数について一つの静的または不変の印刷画像が製作される。次に、後置された印刷システム１２の中でインラインで第１の顧客グループ、たとえば年齢２０才から４０才の顧客向けに、第１の動的印刷画像を印刷することにより、印刷装置１０で製作された静的印刷画像が部分個別化される。たとえば自動車メーカーの実施例においては、２０才から４０才の顧客向けに、印刷システム１２により個別化される静的印刷画像のセクションに、スポーツカーの最新モデルを印刷することができる。この部分個別化の後、印刷システム１３において、これに対応するそれぞれの顧客の住所データが印刷される。印刷装置１０において印刷されたパンフレットの総部数Ｎのうち、印刷システム１２においてそれぞれの場合に応じて部分個別化されたパンフレットが部数ｎだけ製作され、そのパンフレットは、印刷システム１３において個別の顧客データにより最終的に個別化される。場合によってはインラインでロジスティックコードおよび切手の印刷など、個別のロジスティックデータの印刷も行われる。
【００２４】
２０才から４０才の顧客向けのデータセットが処理されると、本発明では、たとえば５０才から６０才の自営業という顧客グループ向けに、印刷システム１２において、印刷装置１０で製作された静的印刷画像に、自動車メーカーの最新の高級セダンを印刷することにより部分個別化でき、次に印刷システム１３において個別の住所データを印刷することにより印刷成果物を最終的に個別化できる。
【００２５】
図１からわかるように、印刷装置１０および、インラインで印刷装置１０に統合されている印刷システム１２および１３には、一つの共通の制御装置またはコントロール装置１５が割り当てられている。この共通の制御装置またはコントロール装置１５は、インラインで統合されているすべての印刷装置１０および印刷システム１２および１３の制御に寄与する。これにより、一つの統合されたデータストリームまたは情報ストリームを確立することが可能となる。図１の実施例においてこのことは、一方では、印刷装置１０において印刷する静的または不変の印刷画像のためのデータ１６および印刷システム１２および１３において印刷する動的または可変の印刷画像のためのデータ１７が、プリプレス・システム１８に供給され、そこから、最終的なプリプレスデータが制御装置またはコントロール装置１５に伝達されることを意味している。個別化された印刷成果物の製作のために必要なすべてのデータは、一つのワークフロー内で一緒にまとめられる。このことは、印刷成果物の製作においてまったく新しい可能性を開くものである。データ１７には望ましくは個別のテキストデータおよび／あるいは画像データ１９および個別のロジスティックデータ２０が含まれている。
【符号の説明】
【００２６】
１０  印刷装置
１１  印刷用紙
１２  印刷システム
１３  印刷システム
１４  矢印
１５  制御装置
１６  データ
１７  データ
１８  プリプレス・システム
１９  データ
２０  データ
【図１】
2010269599.tif 000003